(57)【特許請求の範囲】
【請求項１】
アウトフォールディング映像表示装置の一側端に形成されるフォールディング軸（ｆｏｌｄｉｎｇ  ａｘｉｓ）と、前記アウトフォールディング映像表示装置の前面に固定される常時画面表示面と前記フォールディング軸を中心にフォールディング及びオープンが行われるフォールディング収納表示面からなる柔軟性のある画面表示装置を備え、フォールディング収納表示面をオープンするとき、フォールディング軸と平行したアウトフォールディング映像表示装置の左側の長さ（A）とアウトフォールディング映像表示装置の右側の長さ（B）とが互いに異なるアウトフォールディング映像表示装置が収納されるケースにおいて、
アウトフォールディング映像表示装置の周りを包み込むバンパーを備え、
前記バンパーは一体型に形成され、
前記バンパーの前記フォールディング軸の外側に対応する部位が開放されることで干渉除去領域が形成され、
前記干渉除去領域は、映像が出力される常時画面表示面及びフォールディング収納表示面領域が露出されるように常時画面表示面及びフォールディング収納表示面領域に対応するケースの領域を除去しており、
前記干渉除去領域は、前記フォールディング軸の外側に対応する部位から前面に延在される常時画面表示面の外側に対応する部位と、前記フォールディング軸の外側に対応する部位から背面に延在されるフォールディング収納表示面の外側に対応する部位を含み、
前記干渉除去領域によって前記柔軟性のある画面表示装置のオープン及びフォールディングによる前記ケースの干渉が除去されることを特徴とする、
アウトフォールディング映像表示装置のケース。
【請求項２】
前記アウトフォールディング映像表示装置のフォールディング軸が形成された端部の反対側端部に互いに対向する内側面と、前記アウトフォールディング映像表示装置のフォールディング軸に垂直な二つの端部に互いに対向する内側面に、前記アウトフォールディング映像表示装置の端部（ｅｄｇｅ）が接触することで、前記アウトフォールディング映像表示装置を前記バンパーの内部に固定する端部係止突起が形成されたことを特徴とする請求項１に記載のアウトフォールディング映像表示装置のケース。
【請求項３】
前記アウトフォールディング映像表示装置のフォールディング軸が形成された端部側の縁に対応する内側面に、前記干渉除去領域を除いた残りの領域に前記アウトフォールディング映像表示装置の端部（ｅｄｇｅ）が接触することによって、前記アウトフォールディング映像表示装置を前記バンパーの内部に固定するフォールディング軸部位係止突起が形成されたことを特徴とする請求項１に記載のアウトフォールディング映像表示装置のケース。
【発明の詳細な説明】
【技術分野】
【０００１】
本発明は、柔軟性のある表示装置が備えられたアウトフォールディング映像表示装置の保護ケース、バンパーケース及びこれらの適用のためのアウトフォールディング映像表示装置に関するものであって、さらに具体的には柔軟性のある表示装置の表示面が互いに背にしてフォールディングされる状態で中央部分がフォールディングされる方式のアウトフォールディング映像表示装置において、保護ケースまたはバンパーケースが付加的に適用されても柔軟性のある表示装置のフォールディング及びオープンが制限されない特徴を有するアウトフォールディング映像表示装置のための保護ケース、バンパーケース、及び一体型ケースと、これらの適用のためのアウトフォールディング映像表示装置に関するものである。
【背景技術】
【０００２】
既存の板状のスマートフォンとタブレット装置のような形状不変映像表示装置の普遍化によって衝撃から液晶画面の破損を防止するためのバンパーケース（韓国登録特許：１０−１２２９０７９）、ダイアリー型のカバー内側の空間に映像表示装置を収納保管し、カード収納機能も可能なダイアリー型ケース（韓国登録特許：１０−１１９２２８７、韓国登録実用新案：２０−０４７３４５１）、バンパーケースにダイアリー型ケースの機能を組み合わせたバンパー一体型ケース（韓国登録実用新案：２０−０４６０２６０）のような付加製品が広く使用されており、関連の様々な特許が提示されている。  
【０００３】
バンパーケース型の製品は、スマートフォンまたはタブレットのような既存の形状不変映像表示装置製品の周りを不連続部分なしに包んで固定され、画面が表示される上部面は、周りから開放形成されてタッチ操作及び画面表示が可能であり、画面が表示される面の反対面は周りが延在して詰っていたり、または開放形成されている形態を有する。  
【０００４】
ダイアリー型ケースは、スマートフォンまたはタブレットのような既存の形状不変映像表示装置製品の画面表示面の反対面に密着固定され、または組み立てて固定される下部面固定板、下部面固定板から一端が延在され、または下部面固定板の終端部分に一側終端部分が接着連結される回動連結板、回動連結板の反対側終端部分に延在され、または接着連結されて画面表示面を選択的に覆う上部面カバーで構成され、上部面カバーの内側面にはカード収納のためのポケットが形成されている。  
【０００５】
バンパーケースとダイアリー型ケースが結合されたバンパー一体型ケースは、スマートフォンまたはタブレットのような既存の形状不変映像表示装置製品の周りを途切れることなく包んで固定され、画面が表示される上部面側は、周りから開放形成されており、画面が表示されない反対側面は形状不変映像表示装置の画面表示面の反対側面に固定されるバンパー下部板、バンパー下部板の一面に一側終端部分が接着固定される回動連結板２、回動連結板２の終端部分に連結されて画面表示面を選択的に覆う上部面カバー２で構成される。  
【０００６】
前記の既存のバンパーケース、ダイアリー型ケース、及びバンパー一体型ケースは、いずれも板状で形状不変映像表示装置に適用されるように提案されたものであって、ヒンジ軸回動による柔軟性のある表示装置のフォールディング及びオープンが行われて周りの形状が変更されるアウトフォールディング映像表示装置には適用されることができない。  
【発明の概要】
【発明が解決しようとする課題】
【０００７】
本発明が成し遂げようとする技術的課題は以下の通りである。  
第一、バンパーケース、ダイアリー型ケース、またはバンパー一体型ケースがアウトフォールディング映像表示装置の外郭ラインに適用されてもヒンジ軸を中心に画面表示領域のフォールディング及びオープンが干渉されず自由に遂行できるようにアウトフォールディング映像表示装置のためのバンパーケース、ダイアリー型ケース、またはバンパー一体型ケースが具現できるようにする。  
【０００８】
第二、アウトフォールディング映像表示装置のフォールディング状態保管時、ヒンジ部位に位置される曲面形状の柔軟性のある表示装置の表面を擦り傷から保護できるように、ヒンジ部位の曲面形状部分を選択的に包んで、覆うことができるようにする。
【課題を解決するための手段】
【０００９】
前記技術的課題を達成するために、本発明の第１の実施例はヒンジ軸を中心に非対称オープンが行われる非対称アウトフォールディング映像表示装置に適用され、非対称アウトフォールディング映像表示装置の外周部分の中でヒンジのフォールディングまたはオープンに影響を与える周り部分である干渉除去領域を除去させ、ヒンジのフォールディングまたはオープンに影響を受けず常に一定の形状と位置を保持する不変領域の周り部分を包んで固定または組み立てられる開放型バンパーケースを含めて構成される。  
【００１０】
第１の実施例の開放型バンパーケースには、非対称アウトフォールディング映像表示装置の固定のために非対称アウトフォールディング映像表示装置のヒンジ軸の反対方面に位置する面が接触される部分とアウトフォールディング映像表示装置のヒンジ軸に垂直な上部の周りと下部の周りに接触される部分に角係止突起が形成され、非対称アウトフォールディング映像表示装置のヒンジ軸に位置する部分の中でオープン干渉領域を除いた残りの部分の一部分を包むヒンジ部位係止突起が形成される。  
【００１１】
本発明の他の実施例である第２の実施例は、非対称アウトフォールディング映像表示装置の常時画面表示面を回動可能な状態で選択的に覆い、上部面カバーに相応する上部開きカバー、非対称アウトフォールディング映像表示装置のフォールディング収納表示面を回動可能な状態で選択的に覆い、下部面固定板に相応する下部開きカバー、上部開きカバー及び下部開きカバーを連結させ、ダイアリー型ケースの回動連結板に相応する連結カバー、非対称アウトフォールディング映像表示装置の常時画面表示面の反対側に位置する一面に一側終端部分が接着され、または固定されて接着され、固定されていない反対側の残りの部分は、連結カバーまたは連結カバーと上部開きカバーの一部分に接着され、または固定される固定補助板を含めて固定補助板適用ケースが構成される。  
【００１２】
第２の実施例において、固定補助板適用ケースの上部開きカバーまたは下部開きカバーのヒンジ側終端部分に非対称アウトフォールディング映像表示装置のヒンジ外周面を覆うヒンジカバーが適用されることもでき、ヒンジカバーが適用されていない第２の実施例とは違って、第３の実施例はヒンジカバーが適用される。  
【００１３】
また、非対称アウトフォールディング映像表示装置に固定補助板適用ケースが適用されることと違って、第４の実施例及び第５の実施例は、固定補助板適用ケースが対称アウトフォールディング映像表示装置に適用され、第４の実施例はヒンジカバーが適用されず、第５の実施例はヒンジカバーが適用される。  
【００１４】
本発明の他の実施例である第６の実施例は、非対称アウトフォールディング映像表示装置の常時画面表示面を回動可能な状態で選択的に覆い、上部面カバーに相応する上部開きカバー、非対称アウトフォールディング映像表示装置のフォールディング収納表示面を回動可能な状態で選択的に覆い、下部面固定板に相応する下部開きカバー、上部開きカバー及び下部開きカバーを連結させて非対称アウトフォールディング映像表示装置のヒンジ軸の反対方面に形成された一つ以上の保護ケースホルダに固定されるように貫通形成された一つ以上の貫通口を有し、ダイアリー型ケースの回動連結板に相応する連結カバー、固定ネジを含む固定手段によって非対称アウトフォールディング映像表示装置の保護ケースホルダに固定され、連結カバーを圧迫して非対称アウトフォールディング映像表示装置のヒンジ軸の反対方面に固定させる荷重分散板を含めて連結カバー固定ケースが構成される。  
【００１５】
第６の実施例において、連結カバー固定ケースの上部開きカバーまたは下部開きカバーのヒンジ側終端部分に非対称アウトフォールディング映像表示装置のヒンジ外周面を覆うヒンジカバーが適用されることができ、ヒンジカバーが適用されていない第６の実施例とは違って、第７の実施例はヒンジカバーが適用される。  
【００１６】
また、非対称アウトフォールディング映像表示装置に連結カバー固定ケースが適用されたこととは違って、第８の実施例及び第９の実施例は連結カバー固定ケースが対称アウトフォールディング映像表示装置に適用され、第８の実施例はヒンジカバーが適用されず、第９の実施例はヒンジカバーが適用される。  
【００１７】
本発明の他の実施例である第１０の実施例は、非対称アウトフォールディング映像表示装置の常時画面表示面を回動可能な状態で選択的に覆い、上部面カバーに相応する上部開きカバー、非対称アウトフォールディング映像表示装置のフォールディング収納表示面を回動可能な状態で選択的に覆い、下部面固定板に相応する下部開きカバー、非対称アウトフォールディング映像表示装置の形状不変の周りに係止適用され、非対称アウトフォールディング映像表示装置の外周部分の中でヒンジのフォールディングまたはオープンの遂行時干渉が発生する領域である干渉除去領域部分が除去されて開放形成され、常時画面表示面及びフォールディング収納表示面側の一面は開放された形状を有する開放型バンパー、上部開きカバー及び下部開きカバーを連結させ、開放型バンパーの一面の中で非対称アウトフォールディング映像表示装置のヒンジ軸の反対方面に位置する一面に形成された連結カバー凹固定部に対応部分が接着固定または連結固定される連結カバーとを含めて開放型バンパー一体型ケースが構成される。  
【００１８】
第１０の実施例において、開放型バンパー一体型ケースの上部開きカバーまたは下部開きカバーのヒンジ側終端部分に非対称アウトフォールディング映像表示装置のヒンジ外周面を覆うヒンジカバーが適用されることができ、ヒンジカバーが適用されない第１０の実施例とは違って、第１１の実施例はヒンジカバーが適用される。  
【００１９】
本発明の他の実施例である第１２の実施例は、非対称アウトフォールディング映像表示装置の常時画面表示面を回動可能な状態で選択的に覆い、上部面カバーに相応する上部開きカバー、非対称アウトフォールディング映像表示装置のフォールディング収納表示面がフォールディング状態時位置される一面の中でフォールディング収納表示面の回動関連した干渉除去領域部分は排除し、残りの部分が多数の固定バンドに係止固定されて回動不可能な状態で非対称アウトフォールディング映像表示装置に固定され、下部面固定板に相応する下部分割固定カバー、選択的に回動可能な状態で下部分割固定カバーの干渉除去領域に位置する部分で回動可能な状態で一側終端が下部分割固定カバーに連結された状態で分割され、または別途適用される連結カバーによって、回動可能な状態で固定される下部回動カバー、上部開きカバー及び下部分割固定カバーを連結させ、ダイアリー型ケースの回動連結板に相応する連結カバーを含めて下部カバー分割ケースが構成される。  
【００２０】
第１２の実施例において、下部カバー分割ケースの上部開きカバーまたは下部回動カバーのヒンジ側終端部分に非対称アウトフォールディング映像表示装置のヒンジ外周面を覆うヒンジカバーが適用されることができ、ヒンジカバーが適用されない第１２の実施例とは違って、第１３の実施例はヒンジカバーが適用される。  
【発明の効果】
【００２１】
上述の通り、本発明の実施例によると、バンパーケース、ダイアリー型の保護ケース、またはバンパーケースとダイアリー型の保護ケースを組み合わせた一体型保護ケースがアウトフォールディング映像表示装置の外郭の周りに適用されてもヒンジ軸を中心に画面表示領域のフォールディング及びオープンが制限を受けずに選択的に行われる。  
【００２２】
また、アウトフォールディング映像表示装置のフォールディング状態保管時、ダイアリー型の保護ケースカバーのヒンジ軸終端部分がヒンジ部位に位置される曲面形状の柔軟性のある表示装置部分を包んで覆うことができるヒンジカバー形状を有することによって、ヒンジ部位に位置される曲面形状の柔軟性のある表示装置の擦り傷から保護されることができるようになる。  
【図面の簡単な説明】
【００２３】
【図１】フォールディング機能がない形状不変映像表示装置に循環型バンパーケースが適用された例示図及び組み立て図である。
【図２】フォールディング機能がない形状不変映像表示装置にダイアリー型ケースが適用された例示図及び組み立て図である。
【図３】フォールディング機能がない形状不変映像表示装置にバンパー一体型ケースが適用された例示図及び組み立て図である。
【図４】非対称アウトフォールディング映像表示装置のフォールディング及びオープン状態を示す平面図及び正面図である。
【図５】対称アウトフォールディング映像表示装置のフォールディング及びオープン状態を示す平面図及び正面図である。
【図６】フォールディング状態の非対称アウトフォールディング映像表示装置に開放型バンパーケースが適用された平面図、正面図、及び背面図である。
【図７】図６に表示された部分の断面図である。
【図８】非対称アウトフォールディング映像表示装置の開放型バンパーケースの固定概念図である。
【図９】非対称アウトフォールディング映像表示装置に固定補助板適用ケースが適用された平面図及び正面図である。
【図１０】非対称アウトフォールディング映像表示装置にヒンジカバーが備えられた固定補助板適用ケースが適用された平面図及び正面図である。
【図１１】非対称アウトフォールディング映像表示装置の固定補助板適用ケースの固定概念図である。
【図１２】非対称アウトフォールディング映像表示装置に固定補助板適用ケースが適用され、フォールディングとオープンへの切替状態に対する斜視図及び正面図である。
【図１３】固定補助板適用ケースが適用された非対称アウトフォールディング映像表示装置の完全オープン状態で、上部開きカバーは完全オープン状態であって、下部開きカバーは閉じる状態で保持される状態に対する斜視図及び正面図である。
【図１４】対称アウトフォールディング映像表示装置に固定補助板適用ケースが適用された平面図及び正面図である。
【図１５】対称アウトフォールディング映像表示装置にヒンジカバーが備えられた固定補助板適用ケースが適用された平面図及び正面図である。
【図１６】対称アウトフォールディング映像表示装置の固定補助板適用ケースの固定概念図である。
【図１７】対称アウトフォールディング映像表示装置に固定補助板適用ケースが適用され、フォールディングとオープンへの切替状態に対する斜視図及び正面図である。
【図１８】固定補助板適用ケースが適用された対称アウトフォールディング映像表示装置の完全オープン状態で上部開きカバーは完全オープン状態であって、下部開きカバーは閉じる状態で保持される状態に対する斜視図及び正面図である。
【図１９】非対称アウトフォールディング映像表示装置に連結カバー固定ケースが適用された平面図、正面図及び断面図である。
【図２０】非対称アウトフォールディング映像表示装置にヒンジカバーが備えられた連結カバー固定ケースが適用された平面図及び正面図である。
【図２１】非対称アウトフォールディング映像表示装置の連結カバー固定ケースの固定概念図である。
【図２２】連結カバー固定ケースが適用された非対称アウトフォールディング映像表示装置のフォールディングとオープンへの切替状態に対する斜視図及び正面図である。
【図２３】連結カバー固定ケースが適用された非対称アウトフォールディング映像表示装置の完全オープン状態で、上部開きカバーは完全オープン状態であって、下部開きカバーは閉じる状態で保持される状態に対する斜視図及び正面図である。
【図２４】対称アウトフォールディング映像表示装置に連結カバー固定ケースが適用された斜視図及び固定概念図である。
【図２５】対称アウトフォールディング映像表示装置にヒンジカバーが備えられた連結カバー固定ケースが適用された斜視図及び固定概念図である。
【図２６】非対称アウトフォールディング映像表示装置に開放型バンパー一体型ケースが適用された平面図、正面図及び断面図である。
【図２７】非対称アウトフォールディング映像表示装置にヒンジカバーが備えられた開放型バンパー一体型ケースが適用された平面図、正面図及び断面図である。
【図２８】非対称アウトフォールディング映像表示装置の開放型バンパー一体型ケースの固定概念図である。
【図２９】開放型バンパー一体型ケースの斜視図及び分解斜視図である。
【図３０】開放型バンパー一体型ケースが適用された非対称アウトフォールディング映像表示装置のフォールディングとオープンへの切替状態に対する斜視図及び正面図である。
【図３１】開放型バンパー一体型ケースが適用された非対称アウトフォールディング映像表示装置の完全オープン状態で、上部開きカバーは完全オープン状態であって、下部開きカバーは閉じる状態で保持される状態に対する斜視図及び正面図である。
【図３２】非対称アウトフォールディング映像表示装置に下部カバー分割ケースが適用された平面図及び正面図である。
【図３３】非対称アウトフォールディング映像表示装置に下部カバー分割ケースが適用された斜視図及び固定概念図である。
【図３４】非対称アウトフォールディング映像表示装置に適用されるヒンジカバーが適用されない下部カバー分割ケース及びヒンジカバーが適用された下部カバー分割ケースの斜視図である。
【発明を実施するための形態】
【００２４】
以下の添付された図面を参照して本発明の実施例を詳細に説明する。
本明細書で使用された用語は、実施例を説明するためのものであって、本発明を制限しようとするものではない。本明細書で、単数形は文句で特に言及しない限り複数形も含む。また、説明の順番によって提示される参照符号は、その順番に必ず限定されていない。
【００２５】
図１はフォールディング機能がない形状不変映像表示装置に循環型バンパーケースが適用された例示図及び組み立て図であり、図２はフォールディング機能がない形状不変映像表示装置にダイアリー型ケースが適用された例示図及び組み立て図であり、図３はフォールディング機能がない形状不変映像表示装置にバンパー一体型ケースが適用された例示図及び組み立て図である。  
【００２６】
図１、図２及び図３に示された通り、従来の板状スマートフォンとタブレットのような形状不変映像表示装置１０には、形状不変映像表示装置１０の保護または収納機能の追加のために循環型バンパーケース１１（韓国登録特許第１０ー１２２９０７９）、ダイアリー型ケース１２（韓国登録特許第１０ー１１９２２８７、韓国登録実用新案第２０ー０４７３４５１）及びバンパー一体型ケース１６（韓国登録実用新案第２０ー０４６０２６０）のような付加製品が広く適用されている。  
【００２７】
図１に示された通り、循環型バンパーケース１１は、形状不変映像表示装置１０の外周部分が切れずに、周りの全体を循環する形で包んで固定され、画面表示部分は開放されてタッチ操作及び画面情報確認が容易になっている。  
【００２８】
形状不変映像表示装置１０の外周部分が切れずに周りの全体を循環する形で包んで固定される方式が適用されるので、循環型バンパーケース１１は、自在に曲がる柔軟性のある表示装置２６のヒンジフォールディング及びオープンが行われて映像表示装置の周りの形状が変更されるアウトフォールディング映像表示装置には適用が不可能な問題点を有する。
【００２９】
図２に示された通り、ダイアリー型ケース１２は、使用者によって回動し、形状不変映像表示装置１０の画面表示面を選択的に覆う上部面カバー１３、上部面カバー１３の回動軸の終端一部分が延在され、または上部面カバー１３とは別にオープン及びフォールディングが容易な材質で上部面カバー１３の回動軸の終端部分に接着または連結固定される回動連結板１４、回動連結板１４の一側終端が延在され、または回動連結板１４の一側終端に接着連結され、形状不変映像表示装置１０の画面表示面の反対面に接着固定され、または係止紐によって角に係止固定されて回動が不可能な下部面固定板１５を含めて構成される。  
【００３０】
下部面固定板１５に形状不変映像表示装置１０の固定は、接着方式、固定バンドを用いた係止方式及び形状不変映像表示装置１０の画面表示面の反対面に固定ネジを用いた下部面固定板１５のネジ固定方式が適用されている。
【００３１】
図３に示された通り、バンパー一体型ケース１６は、使用者によって回動され、形状不変映像表示装置１０の画面表示面を選択的に覆う上部面カバー１３、上部面カバー１３の回動軸の終端一部分が延在され、または、上部面カバー１３とは別にオープン及びフォールディングが容易な材質で上部面カバー１３の回動軸の終端部分に接着連結される回動連結板１４、形状不変映像表示装置１０の外周部分を切れずに周りの全体を循環する形で包んで固定されて回動が不可能であり、画面表示部分は開放されているが、画面表示面の反対面は、閉鎖状態で回動連結板１４に接着連結されるバンパー下部板１７を含めて構成される。  
【００３２】
図２及び図３に示された通り、下部面固定板１５及びバンパー下部板１７は、映像表示装置の画面表示面の反対面に固定され、上部面カバー１３のようなオープン回動が不可能な構造を成す。このため、アウトフォールディング映像表示装置にダイアリー型ケース１２またはバンパー一体型ケース１６を適用すれば、アウトフォールディング映像表示装置のヒンジオープン時オープン回動が不可能な下部面固定板１５またはバンパー下部板１７によって下部面固定板１５及びバンパー下部板１７の内側にフォールディング収納されているフォールディング収納表示面２３がフォールディング状態で拘束されてオープンが不可能な構造的問題点を有するようになる。  
【００３３】
従って、形状不変映像表示装置１０とは違って、柔軟性のある表示装置のフォールディング及びオープン時周り形状が変化されるアウトフォールディング映像表示装置に図１、図２及び図３に示されたような循環型バンパーケース１１、ダイアリー型ケース１２及びバンパー一体型ケース１６を適用することができなくなり、アウトフォールディング映像表示装置のための別途のケースが要求されることが分かる。
【００３４】
本発明は、アウトフォールディング映像表示装置のためのケース及びケースの適用のためのアウトフォールディング映像表示装置の形状要件を提示し、アウトフォールディング映像表示装置の形態分類による様々な実施例を通じて詳しく説明する。  
【００３５】
図４は、非対称アウトフォールディング映像表示装置のフォールディング及びオープン状態を示す平面図及び正面図であって、図５は対称アウトフォールディング映像表示装置のフォールディング及びオープン状態を示す平面図及び正面図である。  
【００３６】
図４及び図５に示された通り、アウトフォールディング映像表示装置は、ヒンジ軸を中心にオープン回動時オープンされる画面表示部分を含めたオープン部分の全体横寸法（Ｂ）が常時画面表示面を含む部分の全体横寸法（Ａ）と一致し、または一致しないこともある。図４に示された通りＡとＢが一致しない場合には、非対称アウトフォールディング映像表示装置２０と分類し、図５に示された通りＡとＢが一致する場合には、対称アウトフォールディング映像表示装置２１と恣意的に分類して本発明の実施例を説明する。  
【００３７】
図６は、フォールディング状態の非対称アウトフォールディング映像表示装置に開放型バンパーケースが適用された平面図、正面図、及び背面図であり、図７は、図６に表示された部分の断面図であって、図８は非対称アウトフォールディング映像表示装置の開放型バンパーケースの固定概念図である。  
【００３８】
本発明の第１実施例である開放型バンパーケース３０は、非対称アウトフォールディング映像表示装置２０の周りに適用され、使用者が非対称アウトフォールディング映像表示装置２０を誤って落とした場合、外周に沿って固定適用されるバンパー材質により衝撃を吸収して破損を防止しようとする目的を有する。  
【００３９】
図６、図７及び図８に示されたように、開放型バンパーケース３０は非対称アウトフォールディング映像表示装置２０に適用され、非対称アウトフォールディング映像表示装置２０の外周部分の中でヒンジのフォールディングまたはオープンの遂行時干渉が発生する領域である干渉除去領域３１部分が開放形成され、ヒンジのフォールディングまたはオープンに影響を受けず常に一定な形状と位置を保持する残りの不変領域の周り部分を包んで固定される。
【００４０】
開放型バンパーケース３０は、非対称アウトフォールディング映像表示装置２０に別途の固定手段の適用なしでも安定的に自体係止固定されるように非対称アウトフォールディング映像表示装置２０のヒンジ軸の反対方面に位置する面が接触される部分とアウトフォールディング映像表示装置のヒンジ軸に垂直な上部の周りと下部の周りに接触される部分に角係止突起３２が形成され、非対称アウトフォールディング映像表示装置２０のヒンジ軸に位置する部分の中で、干渉除去領域３１を除いた残りの部分の一部分を包むヒンジ部位係止突起３３がヒンジ軸部位に形成される。  
【００４１】
また、開放型バンパーケース３０の周り及び背面には、多数の物理ボタン、イヤホン連結ジャック差し込み口、後面カメラ、スピーカー、マイク、ＵＳＢ連結端子のための貫通口が形成されるのが好ましい。  
【００４２】
開放型バンパーケース３０の固定は、図８に示された通り非対称アウトフォールディング映像表示装置２０のヒンジ軸の反対方面に位置する面が干渉除去領域３１が形成されないバンパーケースの周りの面に沿って形成された角係止突起３２に優先的に挿入されて係止され、非対称アウトフォールディング映像表示装置２０のヒンジ軸部分の周りは干渉除去領域３１を向かい合って両側に離れて形成されているヒンジ部位係止突起３３部分に挿入されて係止される方式を通じて行われる。
【００４３】
映像表示装置の外周を包んで適用され、落下衝撃を吸収することで、映像表示装置の破損を防止することが主目的である第１の実施例の開放型バンパーケース３０とは違って、アウトフォールディング映像表示装置の常時画面表示面２２とフォールディング収納表示面２３を擦り傷から保護し、回動が可能なカバー内側に収納機能を付することができるダイアリー型ケースの適用も考慮することができる。  
【００４４】
図２及び図３に示された通り、アウトフォールディング映像表示装置にダイアリー型ケースを適用するためには下部面固定板１５がアウトフォールディング映像表示装置に回動が不可能な状態で固定されてはならず、選択的に回動可能な状態で保持されなければならない。  
【００４５】
このような場合、アウトフォールディング映像表示装置にダイアリー型ケースを固定させる下部面固定板１５の固定機能がなくなって、ダイアリー型ケースの固定のために別途の他の方案が用意されるべきである。その方案は、またアウトフォールディング映像表示装置のフォールディング収納表示面２３のオープンとフォールディングの軌跡に干渉を発生させない条件も満たさなければならない。  
【００４６】
本発明は、ダイアリー型ケースを保持しながらも上部面カバー１３及び下部面固定板１５が選択的に回動可能であり、アウトフォールディング映像表示装置のヒンジ回動時下部面固定板１５にアウトフォールディング映像表示装置のフォールディング収納表示面２３が係止されて回動を不能にする干渉が発生されない。ダイアリー型ケースがアウトフォールディング映像表示装置に固定される実施例として固定補助板適用ケース４０、連結カバー固定ケース４１、開放型バンパー一体型ケース４２及び下部カバー分割ケース４３を順次提示する。
【００４７】
図９は、非対称アウトフォールディング映像表示装置に固定補助板適用ケースが適用された平面図及び正面図であり、図１０は、非対称アウトフォールディング映像表示装置にヒンジカバーが備えられた固定補助板適用ケースが適用された平面図及び正面図であり、図１１は、非対称アウトフォールディング映像表示装置の固定補助板適用ケースの固定概念図であり、図１２は、非対称アウトフォールディング映像表示装置に固定補助板適用ケースが適用され、フォールディングとオープンへの切替状態に対する斜視図及び正面図であり、図１３は、固定補助板適用ケースが適用された非対称アウトフォールディング映像表示装置の完全オープン状態で、上部開きカバーは完全オープン状態であって、下部開きカバーは閉じる状態で保持される状態に対する斜視図及び正面図であり、図１４は、対称アウトフォールディング映像表示装置に固定補助板適用ケースが適用された平面図及び正面図であり、図１５は、対称アウトフォールディング映像表示装置にヒンジカバーが備えられた固定補助板適用ケースが適用された平面図及び正面図であり、図１６は、対称アウトフォールディング映像表示装置の固定補助板適用ケースの固定概念図であり、図１７は、対称アウトフォールディング映像表示装置に固定補助板適用ケースが適用され、フォールディングとオープンへの切替状態に対する斜視図及び正面図であり、図１８は固定補助板適用ケースが適用された対称アウトフォールディング映像表示装置の完全オープン状態で、上部開きカバーは完全オープン状態であって、下部開きカバーは閉じる状態で保持される状態に対する斜視図及び正面図である。  
【００４８】
図９から図１３は、非対称アウトフォールディング映像表示装置２０に固定補助板適用ケース４０が適用される第２の実施例及び非対称アウトフォールディング映像表示装置２０にヒンジカバー５１が備えられた固定補助板適用ケース４０が適用される第３の実施例を示している。
図１４から図１８は、対称アウトフォールディング映像表示装置２１に固定補助板適用ケース４０が適用される第４の実施例及び対称アウトフォールディング映像表示装置２１にヒンジカバー５１が備えられた固定補助板適用ケース４０が適用される第５の実施例を示している。
【００４９】
図９、図１１、図１２及び図１３に示された通り、第２の実施例の固定補助板適用ケース４０は、非対称アウトフォールディング映像表示装置２０の常時画面表示面２２を回動可能な状態で選択的に覆い、上部面カバー１３に相応する上部開きカバー５０、非対称アウトフォールディング映像表示装置２０のフォールディング収納表示面２３を回動可能な状態で選択的に覆い、下部面固定板１５に相応する下部開きカバー５３、上部開きカバー５０及び下部開きカバー５３を連結させ、ダイアリー型ケースの回動連結板１４に相応する連結カバー５２、非対称アウトフォールディング映像表示装置２０の常時画面表示面２２の反対側に位置する一面に一側終端部分が接着されるかまたは固定され、接着されるかまたは固定されていない反対側の残りの部分は、連結カバー５２または連結カバー５２と上部開きカバー５０の一部分に接着され、または固定される固定補助板５４を含めてダイアリー型ケースが構成され、固定補助板５４を用いて固定補助板適用ケース４０が非対称アウトフォールディング映像表示装置２０に固定される。  
【００５０】
図１１に示された通り、第２の実施例において、連結カバー５２部分に対応される固定補助板５４の一側終端部分には物理ボタンの操作のための貫通口が形成されており、下部開きカバー５３部分に対応される固定補助板５４の一側終端部分にはスピーカー、カメラ関連貫通口が形成されることができ、非対称アウトフォールディング映像表示装置２０のフォールディング収納表示面２３が隠されることなく露出できるように一定領域が除去され、画面露出領域が開放形成される。  
【００５１】
図１２に示された通り、下部開きカバー５３と非対称アウトフォールディング映像表示装置２０の常時画面表示面２２の反対方面の間にフォールディングの状態で収納保管されていた非対称アウトフォールディング映像表示装置２０のフォールディング収納表示面２３が非対称アウトフォールディング映像表示装置２０のヒンジ回動によってオープン状態へと切り替えすれば、非対称アウトフォールディング映像表示装置２０の常時画面表示面２２の反対方面から離脱されて下方回動するフォールディング収納表示面２３関連部分が下部開きカバー５３を反対側として下方回動させて回動される。  
【００５２】
図１３は、非対称アウトフォールディング映像表示装置２０のフォールディング収納表示面２３が完全オープンされた状態を示し、フォールディング収納表示面２３の下方回動によって反対側に下方回動した下部開きカバー５３が使用者の片手グリップ操作によって閉じる状態で保持されている状態を示す。  
【００５３】
完全オープン状態で保持された非対称アウトフォールディング映像表示装置２０のフォールディング収納表示面２３を完全フォールディング状態へと切り替えさせるため、非対称アウトフォールディング映像表示装置２０のヒンジをフォールディング側に回動させると、フォールディング回動されるフォールディング収納表示面２３部分が閉じた状態で保持された下部開きカバー５３に係止されて完全なフォールディングが行われておらず、係止することなく完全なフォールディングを遂行するためには、使用者が下部開きカバー５３を一部分下方回動させてフォールディング収納表示面２３が係止されないように回動区間を開けなければならない。  
【００５４】
図１０に示された通り、第３の実施例は、非対称アウトフォールディング映像表示装置２０にヒンジカバー５１が備えられた固定補助板適用ケース４０が適用されることができることを示している。  
【００５５】
第２の実施例の固定補助板適用ケース４０は、非対称アウトフォールディング映像表示装置２０の常時画面表示面２２とフォールディング収納表示面２３との間に存在する曲率する柔軟性のある表示装置部分を包んでおらず、これによってヒンジ部分に外部から擦り傷が発生する可能性が常に存在する。  
【００５６】
これを解決するためには、ヒンジ部分も包む方案が適用されなければならず、上部開きカバー５０または下部開きカバー５３のヒンジ側終端部分が延在されてヒンジ部分を包むヒンジカバー５１部分が固定補助板適用ケース４０に備えられる。図１０はヒンジカバー５１が上部開きカバー５０のヒンジ側終端部分に延在されている実施例を示している。  
【００５７】
第３の実施例は、ヒンジカバー５１部分を除いた全ての部分は、第２の実施例と同一であるので、関連部分に対する説明及び図示は省略する。  
【００５８】
非対称アウトフォールディング映像表示装置２０に固定補助板適用ケース４０が適用された第２の実施例と類似に対称アウトフォールディング映像表示装置２１に固定補助板適用ケース４０が適用され、これは第４の実施例として図１４、図１６、図１７及び図１８に示されている。  
【００５９】
図１４、図１６、図１７及び図１８に示された通り、第４の実施例の固定補助板適用ケース４０は、対称アウトフォールディング映像表示装置２１の常時画面表示面２２を回動可能な状態で選択的に覆い、上部面カバー１３に相応する上部開きカバー５０、対称アウトフォールディング映像表示装置２１のフォールディング収納表示面２３を回動可能な状態で選択的に覆い、下部面固定板１５に相応する下部開きカバー５３、上部開きカバー５０及び下部開きカバー５３を連結させ、ダイアリー型ケースの回動連結板１４に相応する連結カバー５２、対称アウトフォールディング映像表示装置２１のフォールディング収納表示面２３の反対方面ではなく、対称アウトフォールディング映像表示装置２１の常時画面表示面２２反対側の一面に一側終端部分が接着されるかまたは固定される。接着されるかまたは固定されていない反対側の残りの部分は、連結カバー５２または連結カバー５２と上部開きカバー５０の一部分に接着されるかまたは固定される固定補助板５４を含めてダイアリー型ケースが構成され、固定補助板５４を用いて固定補助板適用ケース４０が対称アウトフォールディング映像表示装置２１に固定される。  
【００６０】
第４の実施例は、第２の実施例と比較時アウトフォールディング映像表示装置とアウトフォールディング映像表示装置に接着または固定される固定補助板５４の接着または固定位置が異なり、その他のものは同一であるので、図１４、図１６、図１７及び図１８に対する別途の説明は省略する。  
【００６１】
また、図１５に示された通り、第５の実施例は対称アウトフォールディング映像表示装置２１にヒンジカバー５１が備えられた固定補助板適用ケース４０が適用されることを示している。  
【００６２】
ヒンジカバー５１部分は、上部開きカバー５０または下部開きカバー５３のヒンジ側終端部分が延在されてヒンジ部分を包むように固定補助板適用ケース４０に適用され、図１５はヒンジカバー５１が上部開きカバー５０のヒンジ側終端部分に延在されている実施例を示している。  
【００６３】
第５の実施例は、第４の実施例と比較時ヒンジカバー５１の適用の有無だけ異なって、その他は同一であるので、図１５に対する別途の説明は省略する。
【００６４】
図１９は、非対称アウトフォールディング映像表示装置に連結カバー固定ケースが適用された平面図、正面図及び断面図であり、図２０は、非対称アウトフォールディング映像表示装置にヒンジカバーが備えられた連結カバー固定ケースが適用された平面図及び正面図であり、図２１は、非対称アウトフォールディング映像表示装置の連結カバー固定ケースの固定概念図であり、図２２は、連結カバー固定ケースが適用された非対称アウトフォールディング映像表示装置のフォールディングとオープンへの切替状態に対する斜視図及び正面図であり、図２３は、連結カバー固定ケースが適用された非対称アウトフォールディング映像表示装置の完全オープン状態で、上部開きカバーは完全オープン状態であって、下部開きカバーは閉じる状態で保持される状態に対する斜視図及び正面図であり、図２４は、対称アウトフォールディング映像表示装置に連結カバー固定ケースが適用された斜視図及び固定概念図であり、図２５は、対称アウトフォールディング映像表示装置にヒンジカバーが備えられた連結カバー固定ケースが適用された斜視図及び固定概念図である。
【００６５】
図１９から図２３は、非対称アウトフォールディング映像表示装置２０に連結カバー固定ケース４１が適用される第６の実施例及び非対称アウトフォールディング映像表示装置２０にヒンジカバー５１が備えられた連結カバー固定ケース４１が適用される第７の実施例を示している。
図２４及び図２５は、対称アウトフォールディング映像表示装置２１に連結カバー固定ケース４１が適用される第８の実施例及び対称アウトフォールディング映像表示装置２１にヒンジカバー５１が備えられた連結カバー固定ケース４１が適用される第９の実施例を示している。  
【００６６】
図１９、図２１、図２２及び図２３に示された通り、第６の実施例の連結カバー固定ケース４１は、非対称アウトフォールディング映像表示装置２０の常時画面表示面２２を回動可能な状態で選択的に覆い、上部面カバー１３に相応する上部開きカバー５０、非対称アウトフォールディング映像表示装置２０のフォールディング収納表示面２３を回動可能な状態で選択的に覆い、下部面固定板１５に相応する下部開きカバー５３、上部開きカバー５０及び下部開きカバー５３を連結させて非対称アウトフォールディング映像表示装置２０のヒンジ軸の反対方面に形成された一つ以上の保護ケースホルダ２４に固定されるように貫通形成された一つ以上の貫通口５５を有し、ダイアリー型ケースの回動連結板１４に相応する連結カバー５２、固定ネジ５７を含む固定手段によって非対称アウトフォールディング映像表示装置２０の保護ケースホルダ２４に固定され、連結カバー５２を圧迫して非対称アウトフォールディング映像表示装置２０のヒンジ軸の反対方面に固定させる荷重分散板５６を含めて構成され、荷重分散板５６及び固定ネジ５７を用いて一つ以上の保護ケースホルダ２４がヒンジ軸の反対方面に形成されている非対称アウトフォールディング映像表示装置２０に連結カバー固定ケース４１が固定される。  
【００６７】
図２１に示された通り、第６の実施例において、連結カバー５２部分には、物理ボタンの操作のための貫通口が形成されており、連結カバー５２の外側で連結カバー５２を圧迫し、非対称アウトフォールディング映像表示装置２０に固定される荷重分散板５６もこれに対応される貫通口が形成される。  
【００６８】
また、図１９及び図２０の断面図に示された通り、荷重分散板５６は、連結カバー５２の外に周りの部分が突出して使用者の手に引っかかる感じを与えないように凹んで組み立てられ、固定ネジ５７の頭部分が突出されないように、中央部分が板状ではなく半月型と突出し、突出された部分の内側に固定ネジ５７の頭部分が凹む状態で保持されることもできる。  
【００６９】
図２２に示された通り、下部開きカバー５３と非対称アウトフォールディング映像表示装置２０の常時画面表示面２２の反対方面の間にフォールディングの状態で収納保管された非対称アウトフォールディング映像表示装置２０のフォールディング収納表示面２３が非対称アウトフォールディング映像表示装置２０のヒンジ回動によってオープン状態へと切り替えすれば、非対称アウトフォールディング映像表示装置２０の常時画面表示面２２の反対方面から離脱されて下方回動するフォールディング収納表示面２３関連部分が下部開きカバー５３を反対側に下方回動させて回動される。  
【００７０】
図２３は、非対称アウトフォールディング映像表示装置２０のフォールディング収納表示面２３が完全オープンされた状態を示し、フォールディング収納表示面２３の下方回動によって反対側に下方回動した下部開きカバー５３が使用者の片手グリップ操作によって閉じる状態で保持されている状態を示す。  
【００７１】
完全オープン状態で保持された非対称アウトフォールディング映像表示装置２０のフォールディング収納表示面２３を完全フォールディング状態へと切り替えさせるために、非対称アウトフォールディング映像表示装置２０のヒンジをフォールディング側に回動させると、フォールディング回動されるフォールディング収納表示面２３部分が閉じた状態で保持された下部開きカバー５３に係止されて完全なフォールディングが行われず、係止することなく完全なフォールディングを遂行するためには、使用者が下部開きカバー５３を一部分下方回動させてフォールディング収納表示面２３が係止されないように回動区間を開けなければならない。  
【００７２】
図２０に示された通り、第７の実施例は、非対称アウトフォールディング映像表示装置２０にヒンジカバー５１が備えられた連結カバー固定ケース４１が適用されることができることを示している。  
【００７３】
第３の実施例と同様に、第７の実施例の上部開きカバー５０または下部開きカバー５３のヒンジ側終端部分が延在されてヒンジ部分を包むヒンジカバー５１部分が連結カバー固定ケース４１に備えられ、図２０は、ヒンジカバー５１が上部開きカバー５０のヒンジ側終端部分に延在されている実施例を示している。  
【００７４】
第７の実施例は、ヒンジカバー５１部分を除いた全ての部分は第６の実施例と同一であるので、関連部分に対する説明及び図示は省略する。  
【００７５】
非対称アウトフォールディング映像表示装置２０に連結カバー固定ケース４１が適用された第６の実施例と類似に対称アウトフォールディング映像表示装置２１に連結カバー固定ケース４１が適用されることができ、これは第８の実施例として図２４に示されている。  
【００７６】
図２４に示された通り、第８の実施例の連結カバー固定ケース４１は、対称アウトフォールディング映像表示装置２１の常時画面表示面２２を回動可能な状態で選択的に覆い、上部面カバー１３に相応する上部開きカバー５０、対称アウトフォールディング映像表示装置２１のフォールディング収納表示面２３を回動可能な状態で選択的に覆い、下部面固定板１５に相応する下部開きカバー５３、上部開きカバー５０及び下部開きカバー５３を連結させて対称アウトフォールディング映像表示装置２１のヒンジ軸の反対方面に形成された一つ以上の保護ケースホルダ２４に固定されるように貫通形成された一つ以上の貫通口５５を有し、ダイアリー型ケースの回動連結板１４に相応する連結カバー５２、固定ネジ５７を含む固定手段によって対称アウトフォールディング映像表示装置２１の保護ケースホルダ２４に固定され、連結カバー５２を圧迫して対称アウトフォールディング映像表示装置２１のヒンジ軸の反対方面に固定させる荷重分散板５６を含めて構成され、荷重分散板５６及び固定ネジ５７を用いて一つ以上の保護ケースホルダ２４がヒンジ軸の反対方面に形成されている対称アウトフォールディング映像表示装置２１に連結カバー固定ケース４１が固定される。
【００７７】
第８の実施例は、第６の実施例と比較時一つ以上の保護ケースホルダ２４が形成されているアウトフォールディング映像表示装置のヒンジ軸の反対方面が異なって、その他は同一であるので、図２４に対する別途の説明は省略する。
【００７８】
また、図２５に示された通り、第９の実施例は、対称アウトフォールディング映像表示装置２１にヒンジカバー５１が備えられた連結カバー固定ケース４１が適用されることができることを示している。  
【００７９】
ヒンジカバー５１部分は、上部開きカバー５０または下部開きカバー５３のヒンジ側終端部分が延在されてヒンジ部分を包むように固定補助板適用ケース４０に適用され、図１５は、ヒンジカバー５１が上部開きカバー５０のヒンジ側終端部分に延在されている実施例を示している。  
【００８０】
第９の実施例は、第８の実施例と比較時ヒンジカバー５１の適用の有無だけ異なって、その他は同一であるので、図２５に対する別途の説明は省略する。  
【００８１】
図２２に示された通り、下部開きカバー５３と非対称アウトフォールディング映像表示装置２０の常時画面表示面２２の反対方面の間にフォールディングの状態で収納保管された非対称アウトフォールディング映像表示装置２０のフォールディング収納表示面２３が非対称アウトフォールディング映像表示装置２０のヒンジ回動によってオープン状態へと切り替えすれば、非対称アウトフォールディング映像表示装置２０の常時画面表示面２２の反対方面から離脱されて下方回動するフォールディング収納表示面２３関連部分が下部開きカバー５３を反対側に下方回動させて回動される。  
【００８２】
図２３は、非対称アウトフォールディング映像表示装置２０のフォールディング収納表示面２３が完全にオープンされた状態を示し、フォールディング収納表示面２３の下方回動によって反対側に下方回動した下部開きカバー５３が使用者の片手グリップ操作によって閉じる状態で保持されている状態を示す。  
【００８３】
完全オープン状態で保持された非対称アウトフォールディング映像表示装置２０のフォールディング収納表示面２３を完全フォールディング状態へと切り替えさせるために、非対称アウトフォールディング映像表示装置２０のヒンジをフォールディング側に回動させると、フォールディング回動されるフォールディング収納表示面２３部分が閉じた状態で保持された下部開きカバー５３に係止され、完全なフォールディングが行われなくなり、係止することなく完全なフォールディングを遂行するためには、使用者が下部開きカバー５３を一部分下方回動させてフォールディング収納表示面２３が係止されないように回動区間を開けなければならない。
【００８４】
図２６は、非対称アウトフォールディング映像表示装置に開放型バンパー一体型ケースが適用された平面図、正面図及び断面図であり、図２７は、非対称アウトフォールディング映像表示装置にヒンジカバーが備えられた開放型バンパー一体型ケースが適用された平面図、正面図及び断面図であり、図２８は、非対称アウトフォールディング映像表示装置の開放型バンパー一体型ケースの固定概念図であり、図２９は、開放型バンパー一体型ケースの斜視図及び分解斜視図であり、図３０は、開放型バンパー一体型ケースが適用された非対称アウトフォールディング映像表示装置のフォールディングとオープンへの切替状態に対する斜視図及び正面図であり、図３１は、開放型バンパー一体型ケースが適用された非対称アウトフォールディング映像表示装置の完全オープン状態で、上部開きカバーは完全オープン状態であって、下部開きカバーは閉じる状態で保持される状態に対する斜視図及び正面図である。  
【００８５】
図２６から図３１は、非対称アウトフォールディング映像表示装置２０に開放型バンパー一体型ケース４２が適用される第１０の実施例及び非対称アウトフォールディング映像表示装置２０にヒンジカバー５１が備えられた開放型バンパー一体型ケース４２が適用される第１１の実施例を示している。  
【００８６】
図２６、図２８、図２９、図３０及び図３１に示された通り、第１０の実施例の開放型バンパー一体型ケース４２は、非対称アウトフォールディング映像表示装置２０の常時画面表示面２２を回動可能な状態で選択的に覆い、上部面カバー１３に相応する上部開きカバー５０、非対称アウトフォールディング映像表示装置２０のフォールディング収納表示面２３を回動可能な状態で選択的に覆い、下部面固定板１５に相応する下部開きカバー５３、非対称アウトフォールディング映像表示装置２０の形状不変の周りに係止適用され、非対称アウトフォールディング映像表示装置２０の外周部分の中でヒンジのフォールディングまたはオープンの遂行時干渉が発生される領域の干渉除去領域３１部分が除去されて開放形成され、常時画面表示面２２及びフォールディング収納表示面２３側の一面は開放された形状を有する開放型バンパー７０、上部開きカバー５０及び下部開きカバー５３を連結させ、開放型バンパー７０の一面の中で非対称アウトフォールディング映像表示装置２０のヒンジ軸の反対方面に位置する一面に形成された連結カバー凹固定部７１に対応部分が接着固定または連結固定される連結カバー５２を含めて構成される。  
【００８７】
図２８及び図２９に示された通り、第１０の実施例において、非対称アウトフォールディング映像表示装置２０は開放型バンパー７０の周りに形成された連結カバー５２の中央部分は開放型バンパー７０に形成された連結カバー凹固定部７１に接着固定または連結固定され、両側終端部分はそれぞれ上部開きカバー５０及び下部開きカバー５３のヒンジ側終端部分に接着固定または連結固定され、これを通じて下部開きカバー５３が選択的に回動され、非対称アウトフォールディング映像表示装置２０のフォールディング収納表示面２３を覆って保護できるようになる。  
【００８８】
ヒンジカバー５１がない下部開きカバー５３は、ヒンジカバー５１がない上部開きカバー５０とヒンジ軸方向と平行した縦の幅が同一することもでき、図２７の断面図に表示されたように干渉除去領域３１のみ覆うほどの幅を有することもできる。  
【００８９】
図２６に示された第１０の実施例の開放型バンパー７０は、第１の実施例の開放型バンパーケース３０において、連結カバー凹固定部７１が形成されていないことを除いては同一するので、これに対する詳しい説明は省略する。  
【００９０】
また、図２７に示された通り、第１１の実施例は、非対称アウトフォールディング映像表示装置２０にヒンジカバー５１が備えられた開放型バンパー一体型ケース４２が適用されることを示す。
【００９１】
ヒンジカバー５１部分は、上部開きカバー５０または下部開きカバー５３のヒンジ側終端部分が延在されてヒンジ部分を包むように固定補助板適用ケース４０に適用され、図２７は、ヒンジカバー５１が上部開きカバー５０のヒンジ側終端部分に延在されている実施例を示している。  
【００９２】
第１１の実施例は第１０実施例と比較時ヒンジカバー５１の適用の有無のみ異なり、その他は同一であるので、図２７に対する別途の説明は省略する。  
【００９３】
図３０に示された通り、下部開きカバー５３と非対称アウトフォールディング映像表示装置２０の常時画面表示面２２の反対方面の間にフォールディングの状態で収納保管された非対称アウトフォールディング映像表示装置２０のフォールディング収納表示面２３が非対称アウトフォールディング映像表示装置２０のヒンジ回動によってオープン状態へと切り替えすれば、非対称アウトフォールディング映像表示装置２０の常時画面表示面２２の反対方面から離脱されて下方回動するフォールディング収納表示面２３関連部分が下部開きカバー５３を反対側に下方回動させて回動される。  
【００９４】
図３１は、非対称アウトフォールディング映像表示装置２０のフォールディング収納表示面２３が完全オープンされた状態を示し、フォールディング収納表示面２３の下方回動によって反対側に下方回動された下部開きカバー５３が使用者の片手グリップ操作によって閉じる状態で保持されている状態を示す。  
【００９５】
完全オープン状態で保持された非対称アウトフォールディング映像表示装置２０のフォールディング収納表示面２３を完全フォールディング状態へと切り替えさせるために、非対称アウトフォールディング映像表示装置２０のヒンジをフォールディング側に回動させると、フォールディング回動されるフォールディング収納表示面２３部分が閉じた状態で保持された下部開きカバー５３に係止されて完全なフォールディングが行われず、完全なフォールディングを遂行するためには、使用者が下部開きカバー５３を一部分下方回動させてフォールディング収納表示面２３が係止されないように回動区間を開けなければならない。
【００９６】
図３２は、非対称アウトフォールディング映像表示装置に下部カバー分割ケースが適用された平面図及び正面図であり、図３３は、非対称アウトフォールディング映像表示装置に下部カバー分割ケースが適用された斜視図及び固定概念図であり、図３４は、非対称アウトフォールディング映像表示装置に適用されるヒンジカバーが適用されない下部カバー分割ケース及びヒンジカバーが適用された下部カバー分割ケースの斜視図である。  
【００９７】
図３２から図３３は、非対称アウトフォールディング映像表示装置２０に下部カバー分割ケース４３が適用される第１２の実施例及び非対称アウトフォールディング映像表示装置２０にヒンジカバー５１が備えられた下部カバー分割ケース４３が適用される第１３の実施例を示す。
【００９８】
図３２及び図３３に示された通り、第１２の実施例の下部カバー分割ケース４３は、非対称アウトフォールディング映像表示装置２０の常時画面表示面２２を回動可能な状態で選択的に覆い、上部面カバー１３に相応する上部開きカバー５０、非対称アウトフォールディング映像表示装置２０のフォールディング収納表示面２３がフォールディング状態時位置される一面の中でフォールディング収納表示面２３の回動関連の干渉除去領域３１部分は排除し、残りの部分が多数の固定バンドに係止固定されて回動不可能な状態で非対称アウトフォールディング映像表示装置２０に固定され、下部面固定板１５に相応する下部分割固定カバー８０、選択的に回動可能な状態で下部分割固定カバー８０の干渉除去領域３１に位置する部分で回動可能な状態で一側終端が下部分割固定カバー８０に連結された状態で分割され、または別途適用される連結カバー５２によって回動可能な状態で固定される下部回動カバー８１、上部開きカバー５０及び下部分割固定カバー８０を連結させてダイアリー型ケースの回動連結板１４に相応する連結カバー５２を含めて構成される。  
【００９９】
図３３及び図３４に示された通り、第１２の実施例において、非対称アウトフォールディング映像表示装置２０は、下部分割固定カバー８０の角部分に備えられる固定バンド８２に角部分が係止されて固定され、下部分割固定カバー８０が固定されても下部回動カバー８１は、選択的に回動可能な状態を保持するので、非対称アウトフォールディング映像表示装置２０のヒンジ回動によるフォールディング収納表示面２３の係止することない回動が可能になる。
【０１００】
以上、添付された図面を参照して本発明の実施例を説明したが、本発明の属する技術分野における通常の知識を有する者は、本発明がその技術的思想や必須的な特徴を変更せずに他の具体的な形態で実施できることが理解される。従って、以上で記述した実施例には、全ての面から例示的なものであり、限定的ではないと理解すべきである。
【符号の説明】
【０１０１】
１０  形の不変映像表示装置
１１  循環型バンパーケース  
１２  ダイアリー型ケース
１３  上部面カバー  
１４  回動連結板
１５  下部面固定板  
１６  バンパー一体型ケース
１７  バンパー下部板  
２０  非対称アウトフォールディング映像表示装置
２１  対称アウトフォールディング映像表示装置  
２２  常時画面表示面
２３  フォールディング収納表示面  
２４  保護ケースホルダ
３０  開放型バンパーケース  
３１  干渉除去領域
３２  角係止突起  
３３  ヒンジ部位係止突起
４０  固定補助板適用ケース  
４１  連結カバー固定ケース
４２  開放型バンパー一体型ケース  
４３  下部カバー分割ケース
５０  上部開きカバー  
５１  ヒンジカバー
５２  連結カバー  
５３  下部開きカバー
５４  固定補助板  
５５  固定ホルダ
５６  荷重分散板
５７  固定ネジ
７０  開放型バンパー
７１  連結カバー凹固定部
８０  下部分割固定カバー
８１  下部回動カバー
８２  固定バンド
【図１】
0006787593.tif 000002
【図２】
0006787593.tif 000003
【図３】
0006787593.tif 000004
【図４】
0006787593.tif 000005
【図５】
0006787593.tif 000006
【図６】
0006787593.tif 000007
【図７】
0006787593.tif 000008
【図８】
0006787593.tif 000009
【図９】
0006787593.tif 000010
【図１０】
0006787593.tif 000011
【図１１】
0006787593.tif 000012
【図１２】
0006787593.tif 000013
【図１３】
0006787593.tif 000014
【図１４】
0006787593.tif 000015
【図１５】
0006787593.tif 000016
【図１６】
0006787593.tif 000017
【図１７】
0006787593.tif 000018
【図１８】
0006787593.tif 000019
【図１９】
0006787593.tif 000020
【図２０】
0006787593.tif 000021
【図２１】
0006787593.tif 000022
【図２２】
0006787593.tif 000023
【図２３】
0006787593.tif 000024
【図２４】
0006787593.tif 000025
【図２５】
0006787593.tif 000026
【図２６】
0006787593.tif 000027
【図２７】
0006787593.tif 000028
【図２８】
0006787593.tif 000029
【図２９】
0006787593.tif 000030
【図３０】
0006787593.tif 000031
【図３１】
0006787593.tif 000032
【図３２】
0006787593.tif 000033
【図３３】
0006787593.tif 000034
【図３４】
0006787593.tif 000035